(57)【要約】【課題】再封後にボトル内の酸素を吸収する時間を短縮できるボトル用栓を提供すること【解決手段】ボトル用栓１は、ボトル２００の口部２３１を密封するキャップ１１と、粒状又は粉末状の酸素を吸収する部材が容器４１に収容された脱酸素剤１３と、有底円筒状に形成され、内部と外部を連通する孔部３５を有し、脱酸素剤１３を収容するキャップ１１に固定される収容部材１２と、を備える。【選択図】  図１
2019112137.tif 000002
【特許請求の範囲】
【請求項１】
ボトルの口部を密封するキャップと、
粒状又は粉末状の酸素を吸収する部材が容器に収容された脱酸素剤と、
有底円筒状に形成され、内部と外部を連通する孔部を有し、前記脱酸素剤を収容する前記キャップに固定される収容部材と、
を備えるボトル用栓。
【請求項２】
前記ボトルは、肩部及び前記口部を有する首部を有し、
前記収容部材は、前記首部に配置される長さを有する、請求項１に記載のボトル用栓。
【請求項３】
前記孔部を複数有し、前記収容部材の下端側に少なくとも設けられる、請求項１に記載のボトル用栓。
【請求項４】
前記収容部材は、組み合わさることで円筒状に形成される一対の半円筒状部材と、前記一対の半円筒状部材を接続するヒンジ部と、を有する、請求項１に記載のボトル用栓。
【請求項５】
前記ヒンジ部は、前記収容部材の底壁側において、前記一対の半円筒状部材を接続し、
前記キャップは、円筒状の挿入部を有し、
前記収容部材は、前記挿入部に挿入されて固定される被挿入部を有し、
前記脱酸素剤は、一軸周りに丸められた状態で、前記一対の半円筒状部材間に配置される、請求項４に記載のボトル用栓。
【請求項６】
前記被挿入部は、前記挿入部に着脱できる、請求項５に記載のボトル用栓。
【発明の詳細な説明】
【技術分野】
【０００１】
本発明は、飲料を収容するボトルを密封するボトル用栓に関する。
【背景技術】
【０００２】
従前から、ジュースやワイン等の飲料をボトルに収容するときに、ボトルの口部を栓で密封する技術が知られている。このようなボトルは、一度開封した後に飲料が残存する場合に栓により再封することで飲料を保管する。しかしながら、ボトルを再封すると、ボトル内に空気が侵入する。このため、酸化すると風味が低下する虞がある飲料を再封して保管すると、密封したボトル内で飲料が酸化する、という問題がある。
【０００３】
そこで、脱酸素剤を栓の内部に内蔵し、ボトルの再封に際して中身との接触を防ぎながら酸素を吸収し、飲料の酸化を抑制し、飲料の風味と香りを長期間維持するための栓が知られている（例えば、特許文献１参照）。また、脱酸素剤は、鮮度保持剤や酸素吸収剤とも呼ばれ、活性酸化鉄製剤やアスコルビン酸系製剤等を用いるものや、グリセリンを主剤とするもの水酸化カルシウムを用いるもの等、種々のものが知られている（例えば、特許文献２乃至特許文献４参照）。
【先行技術文献】
【特許文献】
【０００４】
【特許文献１】特許第５２９６０２７号公報
【特許文献２】特許第２９２３９７８号公報
【特許文献３】特許第４３０５６６４号公報
【特許文献４】特許第３８２４０３６号公報
【発明の概要】
【発明が解決しようとする課題】
【０００５】
上述した脱酸素剤を用いた栓は、飲料の酸化を抑制することを目的としているところ、再封した後に、長期間飲料の風味や香りを維持できるだけでなく、飲料の酸化が進行しないように、再封後に速やかにボトル内の酸素を吸収することができる栓が求められている。
【０００６】
そこで本発明は、再封後にボトル内の酸素を吸収する時間を短縮できるボトル用栓を提供することを目的とする。
【課題を解決するための手段】
【０００７】
本発明の一態様によれば、ボトル用栓は、ボトルの口部を密封するキャップと、粒状又は粉末状の酸素を吸収する部材が容器に収容された脱酸素剤と、有底円筒状に形成され、内部と外部を連通する孔部を有し、前記脱酸素剤を収容する前記キャップに固定される収容部材と、を備える。
【発明の効果】
【０００８】
本発明によれば、再封後にボトル内の酸素を吸収する時間を短縮できるボトル用栓を提供することができる。
【図面の簡単な説明】
【０００９】
【図１】本発明の第１の実施形態に係るボトル用栓の構成を示す斜視図。
【図２】同ボトル用栓の構成であって、ボトルに用いた例を示す断面図。
【図３】同ボトル用栓の構成を示す底面図。
【図４】同ボトル用栓の収容部材を開いた状態の構成を示す側面図。
【図５】同ボトル用栓に用いられる脱酸素剤の構成を示す平面図。
【図６】本発明の実施例２に係るボトル用栓の構成を示す斜視図。
【図７】本発明の実施例３に係るボトル用栓の構成を示す斜視図。
【図８】本発明の実施例４に係るボトル用栓の構成を示す斜視図。
【図９】同ボトル用栓の第１評価試験の結果を表で示す説明図。
【図１０】同ボトル用栓の第１評価試験の結果をグラフで示す説明図。
【図１１】同ボトル用栓の第２評価試験の結果を表で示す説明図。
【図１２】同ボトル用栓の第２評価試験の結果をグラフで示す説明図。
【図１３】本発明のボトル用栓の他の実施形態の構成を示す斜視図。
【図１４】本発明のボトル用栓の他の実施形態の構成を示す斜視図。
【発明を実施するための形態】
【００１０】
以下、本発明の第１の実施形態に係るボトル用栓１を、図１乃至図５を用いて説明する。  
図１は、本発明の第１の実施形態に係るボトル用栓１の構成を斜視図である。図２は、同ボトル用栓の構成であって、ボトルに用いた例を示す断面図である。図３は、同ボトル用栓の構成を示す底面図である。図４は、同ボトル用栓の収容部材を開いた状態の構成を示す側面図である。図５は、同ボトル用栓に用いられる脱酸素剤の構成を示す平面図である。
【００１１】
図１乃至図５に示すように、ボトル用栓１は、キャップ１１と、収容部材１２と、脱酸素剤１３と、を備えている。ボトル用栓１は、飲料１００が密封されたボトル２００を開封後に再度密封するときに、ボトル２００の口部を覆うことでボトル２００を密封するとともに、ボトル２００内の酸素を吸収する。
【００１２】
ここで、飲料１００とは、空気に触れたときに酸素によって酸化することで変質し、風味と香りが劣化するものである。例えば、飲料１００は、飲料、日本酒、ワイン等が挙げられる。なお、ボトル２００に収容されるものであって、酸素によって酸化するものであれば、飲料以外のものであっても適用できる。
【００１３】
また、ここで、ボトル２００は、ガラスで形成された瓶や樹脂材料で形成されたボトル等が挙げられる。ボトル２００は、飲料１００を収容する胴部２１０と、胴部２１０に連続して設けられ、縮径する肩部２２０と、肩部２２０に設けられ、先端に口部２３１を有する首部２３０と、を備えている。本実施形態においては、ボトル２００は、図２に示すように、ワインボトルを用いた例を説明する。
【００１４】
キャップ１１は、円柱状又は円錐台形状の掴み部２１と、掴み部２１の下端に設けられた円筒状のシール部２２と、を備えている。キャップ１１は、樹脂材料で形成される。キャップ１１は、例えば、ポリエチレンやポリプロピレンで形成される。
【００１５】
掴み部２１は、使用者がボトル２００を再封する閉栓時及びボトル２００を開封する開栓時に、使用者の手指によって保持可能に構成される。掴み部２１は、例えば、円錐台形状に構成され、その外周面に、開栓及び開封時に手指が滑らないようにするための突起が設けられる。
【００１６】
シール部２２は、先端側が開口する円筒状に構成される。シール部２２の外周面は、掴み部２１側から先端に向かって漸次縮径するシール面２２ａを構成する。シール面２２ａは、ボトル２００の口部２３１の縁部又は内周面と密着することで、ボトル２００の口部２３１を密封する。
【００１７】
また、シール部２２の内周面は、収容部材１２が挿入される挿入部２２ｂを構成する。即ち、挿入部２２ｂは、収容部材１２が嵌合することで、収容部材１２を固定する。
【００１８】
収容部材１２は、脱酸素剤１３を収容する収容部３１と、キャップ１１の挿入部２２ｂに固定される被挿入部３２と、を備えている。収容部材１２は、樹脂材料で形成される。収容部材１２は、例えば、ポリエチレンやポリプロピレンで形成される。
【００１９】
収容部３１は、有底円筒状に構成されるとともに、外周面に複数の孔部３５を有する。複数の孔部３５は、収容部３１の周壁３１ａ及び底壁３１ｂに設けられ、収容部３１の内外を連通する通気孔である。孔部３５は、収容部３１に収容した脱酸素剤１３が外部に脱落しない形状に構成される。
【００２０】
孔部３５は、収容部３１の周壁３１ａに複数設けられる。周壁３１ａに設けられる複数の孔部３５は、好ましくは、少なくとも収容部３１の下端側（底壁３１ｂ側）に設けられる。例えば、孔部３５は、収容部３１の軸方向の全長及び周方向の全周に渡って等間隔に複数設けられる。
【００２１】
また、孔部３５は、収容部３１の底壁３１ｂに例えば単数設けられる。収容部３１の底壁３１ｂに設けられる孔部３５は、例えば、一方向に長い楕円形状又は矩形状等に形成される。
【００２２】
収容部３１は、一対の第１半円筒状部３６と、一対の第１半円筒状部３６を連続するヒンジ部３７と、を備えている。一対の第１半円筒状部３６は、ヒンジ部３７を中心に、互いに近接及び離間する方向に回転する。一対の第１半円筒状部３６は、一体に組み立てられることで、有底円筒状の収容部３１を構成する。第１半円筒状部３６は、複数の孔部３５及び複数の孔部３５の一部を有する。また、第１半円筒状部３６は、半円状の底部３６ａを有するとともに、当該底部に底壁３１ｂに設けられる孔部３５の一部が形成される。
【００２３】
ヒンジ部３７は、一対の第１半円筒状部３６の底部３６ａを連続する。ヒンジ部３７は、一対の第１半円筒状部３６の底部３６ａに設けられた孔部３５の一部を挟んで二箇所設けられる。
【００２４】
次に、このような収容部３１に設けられる複数の孔部３５の具体例を以下説明する。例えば、収容部３１の上端から底部３６ａまでの高さ（Ｈ）が５７ｍｍに形成されている場合の周壁３１ａに設けられる孔部３５は、一例として、直径６ｍｍの円形に形成されている。周壁３１ａに設けられる孔部３５は、収容部３１の底部３６ａからＨ／５の高さまでの第１領域において、底部３６ａから６ｍｍの位置が下端側（底壁３１ｂ側）に位置する孔部３５の中心となるように、周方向に４つが等間隔に設けられる。
【００２５】
また、周壁３１ａに設けられる孔部３５は、収容部３１の第１領域から、収容部３１の底部３６ａからＨ／２の高さまでの第２領域において、第一領域の孔部３５の上端から４ｍｍ上方が孔部３５の下端となるように、周方向に等間隔に４つ形成され、さらに当該４つの孔部３５の上端から４ｍｍの間隔で、周方向に等間隔に４つ形成されている。また、孔部３５は、収容部３１の被挿入部３２側の端部からＨ／４の高さでの第３領域において、周方向に等間隔に４つ形成されるとともに、これら４つの孔部３５の下端から４ｍｍ下方に上端が位置するように、周方向に等間隔に４つ形成される。換言すると、６ｍｍの複数の孔部３５は、収容部３１の軸方向に隣り合う孔部３５間の幅が４ｍｍ離間して５つ設けられるとともに、収容部３１の周方向に等間隔に４列配置される。
【００２６】
すなわち、本具体例において、収容部３１の周壁３１ａに設けられる複数の孔部３５は、収容部３１の軸方向に４ｍｍ間隔で配置された５つの孔部３５を１列として、周方向に沿って等間隔に４列形成される。換言すると、孔部３５は、収容部３１の周壁３１ａに２０個設けられる。なお、第２領域は、周壁３１ａの先端から２８．５ｍｍまでの位置であるから、収容部３１の先端から３個目の孔部３５の上端から０．５ｍｍ下方までの領域となる。したがって、第２領域に形成された孔部３５の開口面積は約３３５ｍｍ２となり、収容部３１の周壁３１ａ全体に形成された孔部３５の面積約５６５ｍｍ２の約５９％を占める。
【００２７】
被挿入部３２は、収容部３１と一体に設けられた有底円筒状に形成され、その外径が挿入部２２ｂに挿入可能な径に形成される。また、挿入部２２ｂの内周面及び被挿入部３２の外周面には、軸方向に係合し、被挿入部３２を挿入部２２ｂに固定する凹部及び凸部が設けられる。
【００２８】
本実施形態において、被挿入部３２及び挿入部２２ｂに設けられた凹部及び凸部は、凹部及び凸部が互いに係合された状態で、被挿入部３２を挿入部２２ｂから離間させる方向の外力が印加された場合に、被挿入部３２の挿入部２２ｂから離間する方向の移動を規制する。すなわち、本実施形態において、挿入部２２ｂ及び被挿入部３２は、互いに係合可能であって、且つ、軸方向の外力によって外れない構成である。
【００２９】
被挿入部３２は、一対の第１半円筒状部３６の端部に連続して一体に設けられた一対の第２半円筒状部３８により形成される。即ち、一対の第１半円筒状部３６間に脱酸素剤１３が配置され、その後一対の第１半円筒状部３６及び第２半円筒状部３８が組み合わされたあと、被挿入部３２が挿入部２２ｂに挿入されることで、ヒンジ部３７を中心とした一対の第１半円筒状部３６及び第２半円筒状部３８の回転を規制する。
【００３０】
脱酸素剤１３は、図５に示すように、矩形袋状の容器４１と、容器４１内に収容された粒状又は粉末状の酸素を吸収する部材（図示せず）と、により形成される。脱酸素剤１３は、例えば、図５にハッチングで示す領域を折り曲げるとともに、一軸周りに巻き付けることで、収容部３１に収容される。脱酸素剤１３は、例えば、三菱ガス化学社製エージレスＧＬＳ１５０（縦寸法６５ｍｍ×横寸法６０ｍｍ）等の市販品が用いられる。容器４１は、粒状又は粉末状の酸素を吸収する部材（図示せず）を収納可能、且つ、当該部材が容器４１の外部の酸素を吸収可能に形成される。
なお、容器４１は、図５に示す矩形袋状の容器に限られず、内部に粒状又は粉末状の酸素を吸収する部材（図示せず）を収容可能、且つ、当該部材が容器４１の外部の酸素を吸収可能に形成されていればよい。例えば、容器４１としては、上記の矩形袋状の容器に替えて、いわゆるキャニスター型の筒状の容器を用いることもできる。
【００３１】
このように構成されたボトル用栓１によれば、ボトル２００を再封するときに、シール部２２をボトル２００の口部２３１に挿入することで、ボトル２００の口部２３１を密封することができる。また、シール部２２の内周面である挿入部２２ｂには、脱酸素剤１３が収容部３１に収容された収容部材１２が被挿入部３２を介して取り付けられる。
【００３２】
このため、収容部３１は、ボトル２００の首部２３０内に延設される。また、収容部３１は、少なくともその下端側に収容部３１の内外空間を連通させる複数の孔部３５を有する。このため、収容部３１内に収容された脱酸素剤１３は、ボトル２００の内部空間のうち、極力下方側に配置されるため、効率的かつ短時間に酸素を吸収できることから、酸素の吸収速度を高めることができる。
【００３３】
また、収容部３１は、被挿入部３２側、本実施形態においては、収容部３１の上方である第三領域にも孔部３５を設ける構成であることから、収容部３１の上方の脱酸素剤１３にも酸素が接触し易くなり、より効率的に酸素を吸収でき、さらに吸収速度を高めることができる。
【００３４】
さらに、ボトル用栓１は、収容部材１２を二分割し、ヒンジ部３７で回転させる構成としたことで、収容部３１が開閉する。このため、開いた状態において収容部３１に脱酸素剤１３を収容し易い。また、収容部３１を閉じた後に、収容部３１と一体の被挿入部３２をキャップ１１の挿入部２２ｂに挿入する構成であることから、挿入部２２ｂに挿入された被挿入部３２が分割する方向に移動することを規制できる。結果、収容部材１２は、キャップ１１と一体にした後に、分割する方向に開くことが防止できるため、ボトル用栓１は、収容部３１に収容した脱酸素剤１３を強固に保持できるとともに、脱酸素剤１３が脱落することを防止できる。
【００３５】
次に、このように構成されたボトル用栓１を評価する評価試験及び評価結果について図１乃至１４を用いて説明する。
【００３６】
本評価試験には、複数の孔部３５の配置によるボトル用栓１の酸素吸収能力の違いを見るために、孔部３５の配置が異なる以下の実施例１乃至実施例４のそれぞれで評価を行った。
【００３７】
・実施例１
実施例１のボトル用栓１は、図１及び図５に示すように、上述の第１の実施形態において具体例に示すボトル用栓１の構成とした。
【００３８】
・実施例２
実施例２のボトル用栓１は、図６に示すように、底壁３１ｂに実施例１の孔部３５と同形状の孔部３５を有するとともに、周壁３１ａの下方側に、一方向に長い孔部３５を周方向に等間隔に４か所設ける構成とした。収容部３１の軸方向の長さは、５７ｍｍとした。
【００３９】
周壁３１ａに設ける孔部３５は、両端部が半径３ｍｍの半円状とし、中央側を構成する直線状の部位が軸方向の長さが１８．８５ｍｍ、軸方向に直交する方向の幅が６ｍｍの矩形状とした。周壁３１ａに設けられた孔部３５の開口面積の合計は実施例１の周壁３１ａに設けられた孔部３５の開口面積の合計と同一となるように構成した。また、周壁３１ａに設けられる孔部３５は、その下端が収容部３１の底部３６ａから３ｍｍの位置に配置した。
【００４０】
・実施例３
実施例３のボトル用栓１は、図７に示すように、底壁３１ｂに実施例１の孔部３５と同形状の孔部３５を有するとともに、周壁３１ａの中央側に、一方向に長い孔部３５を周方向に等間隔に４か所設ける構成とした。収容部３１の軸方向の長さは、５７ｍｍとした。
【００４１】
周壁３１ａに設ける孔部３５は、両端部が半径３ｍｍの半円状とし、中央側を構成する直線状の部位が軸方向の長さが１８．８５ｍｍ、軸方向に直交する方向の幅が６ｍｍの矩形状とした。周壁３１ａに設けられた孔部３５の開口面積の合計は実施例１の周壁３１ａに設けられた孔部３５の開口面積の合計と同一となるように構成した。また、周壁３１ａに設けられる孔部３５は、その下端が収容部３１の底部３６ａから１３．６ｍｍの位置に配置した。
【００４２】
・実施例４
実施例４のボトル用栓１は、図８に示すように、底壁３１ｂに実施例１の孔部３５と同形状の孔部３５を有するとともに、周壁３１ａの中央側に、一方向に長い孔部３５を周方向に等間隔に４か所設ける構成とした。収容部３１の軸方向の長さは、５７ｍｍとした。
【００４３】
周壁３１ａに設ける孔部３５は、両端部が半径３ｍｍの半円状とし、中央側を構成する直線状の部位が軸方向の長さが１８．８５ｍｍ、軸方向に直交する方向の幅が６ｍｍの矩形状とした。また、周壁３１ａに設けられる孔部３５は、その下端が収容部３１の先端から２４．１５ｍｍの位置に配置した。
（評価試験）
また、評価試験の条件は以下の通りとした。  
まず、第１評価試験として、７２０ｍｌのワインが収容された、容積が７５０ｍｌのボトル２００から、先ずに、ワインを２４０ｍｌ抜き、ボトル２００内の空気量を初期のヘッドスペース分の３０ｍｌ＋２４０ｍｌとする。次いで、当該空気量のボトル２００を実施例１乃至実施例４のボトル用栓１で密封し、それぞれ密封時（０ｈ）、密封後２時間経過時、４時間経過時、６時間経過時、８時間経過時、２４時間経過時のボトル２００内の酸素濃度（％）を測定した。
【００４４】
また、ボトル２００内の酸素濃度は、ボトル２００の肩部２２０及び首部２３０の境目周辺の内周面に、酸素濃度の測定が可能なセンサーチップ２４０を配置することで測定した。酸素濃度測定器としては、非破壊酸素濃度計Ｆｉｂｏｘ３（ＰｒｅＳｅｎｓ社製）を使用した。
【００４５】
次いで、第２評価試験として、第１評価試験で用いたボトル２００から、さらにワインを２４０ｍｌ抜き、ボトル２００内の空気量を初期のヘッドスペース分の３０ｍｌ＋４８０ｍｌとする。次いで、当該空気量のボトル２００を実施例１乃至実施例４のボトル用栓１で密封し、それぞれ密封時（０ｈ）、密封後２時間経過時、４時間経過時、６時間経過時、８時間経過時、２４時間経過時のボトル２００内の酸素濃度（％）を測定した。
【００４６】
（評価試験結果）
第１評価試験の結果としては、図９の表及び図１０のグラフに示すように、ボトル２００内の酸素濃度は、実施例１のボトル用栓１を用いた場合、２時間経過後から２４時間経過後まで、酸素濃度の低下量及び低下速度が最も良い結果となり、次いで、実施例２のように、孔部３５を下方に設けたボトル用栓１がよい結果となった。また、図１１の表及び図１２のグラフにも示すように、第２評価試験においても、第１評価試験と同様の結果となった。
【００４７】
これは、実施例１においては、収容部３１の全域に孔部３５が設けられたため、脱酸素剤１３に酸素が接触する領域が増えて、脱酸素剤１３の酸素吸収効率が高くなったためと考えられる。また、実施例２乃至実施例４は、孔部３５の形状及び開口面積が同じものの、実施例２が実施例３及び実施例４に比べてよい結果となった理由としては、収容部３１の下方に配置することで、ボトル２００の内部空間の中心側に近く、また、当該内部空間の下方に近いことがあげられる。即ち、空気より酸素のほうが比重の重いことからも、内部空間の下方に位置することで、より効率よく酸素を脱酸素剤１３が吸収できたためと考えられる。
【００４８】
このため、本発明の第１の実施形態に係るボトル用栓１のように、収容部３１の下方側に少なくとも孔部３５を設けることで、ボトル２００内の酸素の吸収効率を増加させることが可能となり、再封後にボトル２００内の酸素を吸収する時間を従前に比べて短縮できることが明らかとなった。
【００４９】
ただし、実施例３及び実施例４のように、収容部３１の底壁３１ｂと、周壁３１ａの中央側又は上方側とに孔部３５を設ける構成であっても、従来の技術の栓のようなキャップに脱酸素剤を設ける構成よりも、下方の内部空間に脱酸素剤１３が接触することから、従来に比べてボトル２００内の酸素を吸収する時間を短縮できると考えられる。
【００５０】
上述したように本発明の一実施形態に係るボトル用栓１によれば、ボトル２００を再封したときに、ボトル２００内の酸素を吸収する時間を短縮できる。
【００５１】
なお、本発明は上記実施形態に限定されない。例えば、ボトル用栓１は、図１３に示すように、孔部３５をスリット状としてもよく、また、図１４に示すように下方側のみに孔部３５を設ける構成であってもよい。また、ボトル用栓１は、脱酸素剤１３を挿入可能であれば、収容部材１２が分割できる構成でなく、有底円筒状の形状であってもよく、また、底壁３１ｂに複数の孔部３５を設ける構成であってもよい。また、シール部についても、他の態様として、図１４に示すように、先端側を小径の円筒状とした段差を形成して、シール面を構成することもできる。
【００５２】
また、上述した例では、挿入部２２ｂ及び被挿入部３２は、互いに係合可能であって、且つ、軸方向の外力によって外れない構成を説明したが、この構成に限定されない。例えば、被挿入部３２及び挿入部２２ｂに設けられた凹部及び凸部は、凹部及び凸部が互いに係合された状態で、使用者が被挿入部３２を挿入部２２ｂから離間させる方向に引っ張ったときに、凹部の窪みを凸部が乗り越えることができる構成としてもよい。このような構成とすることにより、挿入部２２ｂ及び被挿入部３２は、着脱可能に構成される。
【００５３】
即ち、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【符号の説明】
【００５４】
１…ボトル用栓、１１…キャップ、１２…収容部材、１３…脱酸素剤、２１…掴み部、２２…シール部、２２ａ…シール面、２２ｂ…挿入部、３１…収容部、３１ａ…周壁、３１ｂ…底壁、３２…被挿入部、３５…孔部、３６…第１半円筒状部、３６ａ…底部、３７…ヒンジ部、３８…第２半円筒状部、４１…容器、１００…飲料、２００…ボトル、２１０…胴部、２２０…肩部、２３０…首部、２３１…口部、２４０…センサーチップ。
【図１】
2019112137.tif 000003
【図２】
2019112137.tif 000004
【図３】
2019112137.tif 000005
【図４】
2019112137.tif 000006
【図５】
2019112137.tif 000007
【図６】
2019112137.tif 000008
【図７】
2019112137.tif 000009
【図８】
2019112137.tif 000010
【図９】
2019112137.tif 000011
【図１０】
2019112137.tif 000012
【図１１】
2019112137.tif 000013
【図１２】
2019112137.tif 000014
【図１３】
2019112137.tif 000015
【図１４】
2019112137.tif 000016